(57)【要約】【課題】医用システムがコンピュータウィルスに感染した場合に安全かつ安定的なウィルス対処を可能とする技術を提供する。【解決手段】Ｘ線診断装置、Ｘ線治療装置、Ｘ線ＣＴ装置、磁気共鳴画像装置、核医学診断装置等の被検体を診断又は治療するための医用システムにおいて、各種ソフトウェア制御手段と当該ソフトウェア制御手段と代替可能な各種ハードウェア制御手段とで制御経路を冗長化し、コンピュータウィルス毎にシステムに対する深刻度を定義する深刻度テーブルと、前記深刻度に対応したウィルス対処を定義する対処テーブルを記憶して、ファイルからコンピュータウィルスを検索し、深刻度テーブルと対処テーブルに基づきウィルス対処をする。【選択図】図２
2008015842.tif 000002
【特許請求の範囲】
【請求項１】
被検体の診断又は治療をするための医用手段と、
前記医用手段を制御する各種ソフトウェア制御手段と、
前記各種ソフトウェア制御手段の少なくとも一部と代替可能に配され、前記医用手段を制御する各種ハードウェア制御手段と、
前記各種ソフトウェア制御手段を実現するアプリケーションファイルを含む各種ファイルを記憶する記憶手段と、
前記記憶手段に記憶されたファイルからコンピュータウィルスを検索する検索手段と、
コンピュータウィルス毎にシステムに対する深刻度の定義を記憶する深刻度テーブルと、
前記深刻度に対応したウィルス対処を記憶する対処テーブルと、
前記深刻度テーブルと前記対処テーブルに基づきウィルス対処をする対処手段と、
を備えること、
を特徴とする医用システム。
【請求項２】
被検体の診断又は治療をするための医用手段と、
前記医用手段を制御する各種ソフトウェア制御手段と、
前記各種ソフトウェア制御手段の少なくとも一部と代替可能に配され、前記医用手段を制御する各種ハードウェア制御手段と、
前記各種ソフトウェア制御手段を実現するアプリケーションファイルを含む各種ファイルを記憶する記憶手段と、
前記記憶手段に記憶された各種ファイルからコンピュータウィルスを検索し、感染したコンピュータウィルスと感染ファイルを特定する検索手段と、
前記感染したコンピュータウィルスと前記感染ファイルの組み合わせに対応したウィルス対処を記憶する対処テーブルと、
前記対処テーブルに基づきウィルス対処をする対処手段と、
を備えること、
を特徴とする医用システム。
【請求項３】
前記ウィルス対処は、感染したアプリケーションファイルに対応するソフトウェア制御手段による制御を代替するハードウェア制御手段の制御に切替え、若しくは手動による制御に切り替え、若しくはシステムの停止、若しくはシステムの再起動を少なくとも含むこと、
を特徴とする請求項１又は２記載の医用システム。
【請求項４】
請求項１記載の医用システムは、
前記医用手段と前記各種ソフトウェア制御手段と前記各種ハードウェア制御手段と前記記憶部と前記検索手段と前記対処手段を含む医用装置と、
前記医用装置とネットワークを介して接続され、前記深刻度テーブルと前記対処テーブルとを記憶する記憶装置と、
を備えること、
を特徴とする請求項１又は２記載の医用システム。
【請求項５】
被検体の診断又は治療をするための医用手段と、
前記医用手段を制御する各種ソフトウェア制御手段と、
前記各種ソフトウェア制御手段の少なくとも一部と代替可能に配され、前記医用手段を制御する各種ハードウェア制御手段と、
前記各種ソフトウェア制御手段を実現するアプリケーションファイルを含む各種ファイルを記憶するファイル記憶手段と、
を有し、被検体の診断又は治療をするための医用システムを、
前記記憶部に記憶された各種ファイルからコンピュータウィルスを検索する検索手段と、
コンピュータウィルス毎にシステムに対する深刻度を定義する深刻度テーブル、及び前記深刻度に対応したウィルス対処を定義する対処テーブルを記憶するテーブル記憶手段と、
前記深刻度テーブルと前記対処テーブルに基づきウィルス対処をする対処手段と、
して機能させること、
を特徴とする医用ウィルス対処プログラム。
【請求項６】
被検体の診断又は治療をするための医用手段と、
前記医用手段を制御する各種ソフトウェア制御手段と、
前記各種ソフトウェア制御手段の少なくとも一部と代替可能に配され、前記医用手段を制御する各種ハードウェア制御手段と、
前記各種ソフトウェア制御手段を実現するアプリケーションファイルを含む各種ファイルを記憶するファイル記憶手段と、
を有し、被検体の診断又は治療をするための医用システムを、
前記記憶部に記憶された各種ファイルからコンピュータウィルスを検索する検索手段と、
前記記憶手段に記憶された各種ファイルからコンピュータウィルスを検索し、感染したコンピュータウィルスと感染ファイルを特定する検索手段と、
前記感染したコンピュータウィルスと前記感染ファイルの組み合わせに対応したウィルス対処を定義する対処テーブルを記憶する記憶手段と、
前記対処テーブルに基づきウィルス対処をする対処手段と、
して機能させること、
を特徴とする医用ウィルス対処プログラム。
【請求項７】
前記ウィルス対処は、感染したアプリケーションファイルに対応するソフトウェア制御手段による制御を代替するハードウェア制御手段の制御に切替え、若しくは手動による制御に切り替え、若しくはシステムの停止、若しくはシステムの再起動を少なくとも含むこと、
を特徴とする請求項５又は６記載の医用ウィルス対処プログラム。
【発明の詳細な説明】
【技術分野】
【０００１】
本発明は、医用システムのウィルス対処技術に関する。
【背景技術】
【０００２】
近年、コンピュータの処理速度の向上に伴って、Ｘ線診断装置、Ｘ線治療装置、Ｘ線ＣＴ装置、磁気共鳴画像装置、核医学診断装置等の被検体を診断又は治療するための医用システムにもその制御にコンピュータによるソフトウェア制御が利用されている。コンピュータは、制御プログラムを解読及び実行して制御信号を生成し、コントローラに送出する。ソフトウェア制御によると、制御信号生成前の処理を仕様に応じて自由に設計できる。また、近年の急速なネットワーク化により医用システムと他のコンピュータとの通信による連携も行われるようになってきた。
【０００３】
そのため、医用システムにも所謂コンピュータウィルスに感染するおそれが生じている。コンピュータウィルスは、コンピュータが解読及び実行するプログラムや参照するデータ等のファイルに感染し、そのプログラムの実行まで潜伏し、そのプログラムの実行とともに発病する機能を有する。操作者の意図しない動作をコンピュータに実行させ、コンピュータ及び周辺機器に様々な影響を与える。
【０００４】
このようなコンピュータウィルスに対処するために、ＰＣ（パーソナルコンピュータ）等には、コンピュータウィルスの感染を検出し、駆除、隔離、削除等の対処を行うソフトウェアが導入される。駆除は、ファイルに含まれるコンピュータウィルスのみを削除するものであり、隔離は、ウィルスに感染したファイルを隔離ディレクトリに移動させるものであり、削除は、感染したファイルを削除するものである。
【０００５】
医用システムにも、このコンピュータウィルス対策のためのソフトウェアが医用システムにインストールされる（例えば、「特許文献１」参照。）。
【０００６】
【特許文献１】特開２００４−８６３０１号公報
【発明の開示】
【発明が解決しようとする課題】
【０００７】
医用システムは、被検体を診断又は治療するためのシステムであり、例えば被検体にＸ線等を曝射するため、その運用は特に安全かつ安定的でなくてはならない。
【０００８】
しかし、医用システムに対して深刻な影響を与えるコンピュータウィルスとＰＣに対して深刻な影響を与えるコンピュータウィルスは必ずしも一致しない。ＰＣにおいて駆除、隔離、削除可能なコンピュータウィルスであっても、医用システムにおいてそのコンピュータウィルスを駆除、隔離、削除等した場合には、その感染したファイルによっては医用システムが突然停止する等の安全面や安定性に深刻な影響を及ぼすおそれがある。
【０００９】
本発明は、以上の問題点に鑑みてなされたものであって、その目的は、医用システムがコンピュータウィルスに感染した場合に安全かつ安定的なウィルス対処を可能とする技術を提供することにある。
【課題を解決するための手段】
【００１０】
上記課題を解決するための請求項１記載の発明は、被検体の診断又は治療をするための医用手段と、前記医用手段を制御する各種ソフトウェア制御手段と、前記各種ソフトウェア制御手段の少なくとも一部と代替可能に配され、前記医用手段を制御する各種ハードウェア制御手段と、前記各種ソフトウェア制御手段を実現するアプリケーションファイルを含む各種ファイルを記憶する記憶手段と、前記記憶手段に記憶されたファイルからコンピュータウィルスを検索する検索手段と、コンピュータウィルス毎にシステムに対する深刻度の定義を記憶する深刻度テーブルと、前記深刻度に対応したウィルス対処を記憶する対処テーブルと、前記深刻度テーブルと前記対処テーブルに基づきウィルス対処をする対処手段と、を備えること、を特徴とする。
【００１１】
上記課題を解決するための請求項２記載の発明は、被検体の診断又は治療をするための医用手段と、前記医用手段を制御する各種ソフトウェア制御手段と、前記各種ソフトウェア制御手段の少なくとも一部と代替可能に配され、前記医用手段を制御する各種ハードウェア制御手段と、前記各種ソフトウェア制御手段を実現するアプリケーションファイルを含む各種ファイルを記憶する記憶手段と、前記記憶手段に記憶された各種ファイルからコンピュータウィルスを検索し、感染したコンピュータウィルスと感染ファイルを特定する検索手段と、前記感染したコンピュータウィルスと前記感染ファイルの組み合わせに対応したウィルス対処を記憶する対処テーブルと、前記対処テーブルに基づきウィルス対処をする対処手段と、を備えること、を特徴とする。
【００１２】
上記課題を解決するための請求項５記載の発明は、被検体の診断又は治療をするための医用手段と、前記医用手段を制御する各種ソフトウェア制御手段と、前記各種ソフトウェア制御手段の少なくとも一部と代替可能に配され、前記医用手段を制御する各種ハードウェア制御手段と、前記各種ソフトウェア制御手段を実現するアプリケーションファイルを含む各種ファイルを記憶するファイル記憶手段と、を有し、被検体の診断又は治療をするための医用システムを、前記記憶部に記憶された各種ファイルからコンピュータウィルスを検索する検索手段と、コンピュータウィルス毎にシステムに対する深刻度を定義する深刻度テーブル、及び前記深刻度に対応したウィルス対処を定義する対処テーブルを記憶するテーブル記憶手段と、前記深刻度テーブルと前記対処テーブルに基づきウィルス対処をする対処手段と、して機能させること、を特徴とする。
【００１３】
上記課題を解決するための請求項６記載の発明は、被検体の診断又は治療をするための医用手段と、前記医用手段を制御する各種ソフトウェア制御手段と、前記各種ソフトウェア制御手段の少なくとも一部と代替可能に配され、前記医用手段を制御する各種ハードウェア制御手段と、前記各種ソフトウェア制御手段を実現するアプリケーションファイルを含む各種ファイルを記憶するファイル記憶手段と、を有し、被検体の診断又は治療をするための医用システムを、前記記憶部に記憶された各種ファイルからコンピュータウィルスを検索する検索手段と、前記記憶手段に記憶された各種ファイルからコンピュータウィルスを検索し、感染したコンピュータウィルスと感染ファイルを特定する検索手段と、前記感染したコンピュータウィルスと前記感染ファイルの組み合わせに対応したウィルス対処を定義する対処テーブルを記憶する記憶手段と、前記対処テーブルに基づきウィルス対処をする対処手段と、して機能させること、を特徴とする。
【発明の効果】
【００１４】
本発明によっては、コンピュータウィルス毎にシステムに対する深刻度を記憶する深刻度テーブルと深刻度に対応したウィルス対処を記憶する対処テーブルを記憶し、記憶されたファイルからコンピュータウィルスを検索して深刻度テーブルと対処テーブルに基づきウィルス対処をするようにした。これにより、医用システムに特化したウィルス対処をすることができ、医用システムの安全かつ安定した運用が可能となる。
【００１５】
また、感染ファイルと深刻度、即ち感染したコンピュータウィルスと感染ファイルの組み合わせに対応したウィルス対処を定義する対処テーブルを記憶し、対処テーブルに基づきウィルス対処をする対処をするようにした。これにより、コンピュータウィルス及び感染ファイルの組み合わせに対する評価が医用システムに合わせて最適化され、より安全かつ安定した運用が可能となる。
【発明を実施するための最良の形態】
【００１６】
以下、本発明に係る医用システムの好適な実施形態について、図面を参照しながら具体的に説明する。
【００１７】
図１は、本実施形態に係る医用システムの外観を示す斜視図である。
【００１８】
医用システムは、医療現場で診断又は治療のために用いられるモダリティであり、Ｘ線診断装置、Ｘ線治療装置、Ｘ線ＣＴ装置、磁気共鳴画像装置（ＭＲＩ装置）、核医学診断装置（ＳＰＥＣＴ装置やＰＥＴ装置）等である。
【００１９】
本実施形態に係る医用システムは、Ｘ線を曝射して被検体Ｐを透過したＸ線を検出するＸ線診断装置１００である。検出したＸ線の強度を画素値として検出位置に応じて配列し、被検体内の画像データを得る。
【００２０】
Ｘ線診断装置１００には、透視モードと撮影モードがある。透視モードは、診断部位を特定するため等に用いられ、Ｘ線量は撮影モードに比べて少なく、得られた画像データをモニタＭに表示させる。撮影モードは、特定部位を診断するため等に用いられ、Ｘ線量は透視モードと比べて多く、得られた画像データに画像処理を施して記憶する。
【００２１】
このＸ線診断装置１００は、天井取付部１で天井に固定されている。天井取付部１には、湾曲形状を有する支持アーム２がその一端でぶら下がり支持されている。支持アーム２と天井取付部１の接続部分には、アクチュエータが内包されており、支持アーム２は、支持されている一端を通り天井平面及び床平面と直交する軸を中心として軸回転する。
【００２２】
支持アーム２には、アームホルダ３を介してＣアーム４が支持されている。Ｃアーム４は、略Ｃ字形状を有しており、背面側が支持されている。アームホルダ３には、アクチュエータが内包されており、Ｃアーム４は、アームホルダ３及びＣアーム４を通り天井平面及び床平面と平行な軸を中心に軸回転する。Ｃアーム４の背面には、Ｃアーム４のアーム延び方向にレールが配設されており、Ｃアーム４は、アームホルダ３を通りＣアーム４のアーム延び方向を円周とした円周上を移動する。
【００２３】
Ｃアーム４の一端には、Ｘ線発生部５が設置され、他端にはＸ線平面検出器６が設置されている。Ｘ線発生部５とＸ線平面検出器６とは、その向きを対向させて設置されている。
【００２４】
Ｘ線発生部５は、Ｘ線を発生する真空管を有する。フィラメント（陰極）に加熱電流が供給されて電子を放出し、フィラメントとタングステン陽極との間に高電圧が印加されて電子が加速され、タングステン陽極に衝突させる。加速した電子がタングステン陽極に衝突するとＸ線が発生する。高電圧の印加は、例えば、高周波数インバータ方式、すなわち５０／６０Ｈｚの交流電源を整流して直流とし、それを数ｋＨｚ以上の高周波数の交流に変換して昇圧するとともにそれを再度整流して印加する方式のものが適用される。Ｘ線発生部５は、供給される電流によって発生するＸ線量が決定する。
【００２５】
Ｘ線平面検出器６は、多行多列のＸ線検出素子を配している。Ｘ線検出素子は、画素を含み、シンチレータ等の蛍光体でＸ線を光に変換し更にその光をフォトダイオード等の光電変換素子で電荷に変換する間接変換型や、Ｘ線による半導体内の電子正孔対の生成及びその電極への移動すなわち光導電現象を利用した直接変換形が主流である。尚、平面検出器以外にも例えばイメージ・インテンシファイアと呼ばれる蛍光面で可視化された像をカメラで撮影するものであってもよい。
【００２６】
Ｘ線発生部５とＸ線平面検出器６との間には、被検体Ｐを載置する天板７が介挿される。天板７は、床に固定された天板保持部８に支持される。天板保持部８には、アクチュエータが内包され、天板７を天板保持部８から押し出し又は引き戻し移動させる。
【００２７】
Ｘ線診断装置１００は、支持アーム２、Ｃアーム４、天板保持部８、及びＸ線発生部５等の駆動体、並びにＸ線平面検出器６を、被検体の診断のための医用手段として制御する。支持アーム２、Ｃアーム４、及び天板保持部８を位置決めし、設定されたＸ線量でＸ線発生部５からＸ線を曝射させ、被検体Ｐを透過したＸ線をＸ線平面検出器６で検出させる。支持アーム２、Ｃアーム４、天板保持部８の位置決め、Ｘ線発生部５から曝射されるＸ線量は、Ｘ線診断装置１００内部に配設される制御系により制御される。
【００２８】
図２に、Ｘ線診断装置１００の制御系を示す。図２は、Ｘ線診断装置１００の制御系を示すブロック図である。
【００２９】
Ｘ線診断装置１００には、医用手段の他、入力部４０とＣＰＵ１０及びメモリ１１を含むコンピュータとハードウェア制御部２０と医用手段コントローラ３０が配設されている。
【００３０】
医用手段コントローラ３０は、コンピュータ及びハードウェア制御部２０と電気的に接続されている。コンピュータ及びハードウェア制御部２０は、入力部４０と電気的に接続されている。
【００３１】
入力部４０は、ボタンやつまみ等が配列されたコンソールである。コンピュータに対しては、ボタンやつまみの操作に対応した電気信号をコード化して入力する。ハードウェア制御部２０に対しては、ボタンやつまみに対応した信号線を介してボタンやつまみの操作量に対応する電圧値や電流値を有する電気信号を入力する。
【００３２】
コンピュータは、メモリ１１に記憶されている各種アプリケーションを実行してソフトウェアによるＸ線診断装置１００の制御手段として機能する。ハードウェア制御部２０は、電子回路を含み構成され、ハードウェアによる装置の制御手段として機能する。
【００３３】
医用手段コントローラ３０は、コンピュータ又はハードウェア制御部２０の制御に対応して、支持アーム２、Ｃアーム４、及び天板保持部８を駆動させるアクチュエータに対して電力を供給し、あるいはＸ線発生部５に対して電力を供給する。
【００３４】
このＸ線診断装置１００は、ソフトウェア制御又はハードウェア制御の切替えが可能となっている。
【００３５】
ソフトウェア制御では、オペレータの操作に応じて入力部４０からコンピュータへコード化されたコマンドが送出される。コンピュータは、プログラムの実行によりコマンドに応じて制御信号を生成し、医用手段コントローラ３０に送出する。制御信号が入力された医用手段コントローラ３０は、電源からの回路を制御信号に従って開き、支持アーム２、Ｃアーム４、天板保持部８、又はＸ線発生部５に電力を供給して移動させ、設定されたＸ線量のＸ線をＸ線発生部５に曝射させる。
【００３６】
ハードウェア制御では、入力部４０からハードウェア制御部２０へ、各種のボタンやつまみに対応した信号線を介して、操作に対応した電流値の電気信号が送出される。ハードウェア制御部２０は、送出された電気信号を制御信号に変換し、医用手段コントローラ３０に送出する。制御信号が入力された医用手段コントローラ３０は、電源からの回路を制御信号に従って開き、支持アーム２、Ｃアーム４、天板保持部８、又はＸ線発生部５に電力を供給して移動させ、設定されたＸ線量のＸ線をＸ線発生部５に曝射させる。
【００３７】
コンピュータによるソフトウェア制御は、Ｘ線診断装置１００を制御するアプリケーションを実行することにより実現される。メモリ１１には、ＯＳアプリケーション１２ａ、位置決めアプリケーション１４ａ、Ｘ線量設定アプリケーション１５ａ、患者登録ＤＢ１６、テンポラリファイル１７、臨床アプリケーション１８等のアプリケーションファイル及びデータファイルが記憶されている。これらアプリケーションを実行することによりコンピュータは、ソフトウェア制御部１３として機能する。
【００３８】
ソフトウェア制御部１３は、オペレーティングシステム１２と、位置決め制御部１４と、Ｘ線設定制御部１５とを含み構成される。オペレーティングシステム１２をベースとして、医用手段コントローラ３０に対して医用手段を制御する制御信号を出力する。オペレーティングシステム１２は、ＯＳアプリケーション１２ａの実行により機能し、入力部４０やモニタＭ等の入出力装置やメモリの管理などアプリケーションから共通して利用される基本的機能を提供する。位置決め制御部１４は、位置決めアプリケーション１４ａの実行により実現する。Ｘ線設定制御部１５は、Ｘ線量設定アプリケーション１５ａの実行により実現する。
【００３９】
位置決め制御部１４は、支持アーム２、Ｃアーム４、及び天板保持部８等の駆動体の移動位置を示す制御信号を生成して医用手段コントローラ３０へ送出する。
【００４０】
Ｘ線量設定制御部１５は、Ｘ線量を示す制御信号を生成して医用手段コントローラ３０へ送出する。
【００４１】
尚、位置決め制御部１４とＸ線量設定制御部１５はオペレーティングシステム１２の起動環境下で別個独立のアプリケーションとして別々に起動又は停止が可能となっている。
【００４２】
ハードウェア制御部２０は、医用手段を直接制御する電子回路等のハードウェアであり、位置決め回路２１とＸ線量設定回路２２を備える。位置決め回路２１は、入力部４０から送出された電気信号を、支持アーム２、Ｃアーム４、又は天板保持部８の移動位置を示す制御信号に変換し、医用手段コントローラ３０へ送出する。Ｘ線量設定回路２２は、入力部４０から送出された電気信号を、Ｘ線量を示す制御信号に変換し、医用手段コントローラ３０へ送出する。
【００４３】
このＸ線診断装置１００のメモリ１１には、図示しないウィルス対処プログラムとコンピュータウィルスの対処に利用されるデータファイルが記憶されている。尚、コンピュータウィルスは、感染、潜伏、発病の機能を有するプログラムであり、いわゆるアドウェアも含まれる。
【００４４】
ウィルス対処プログラムを実行することにより、Ｘ線診断装置１００のコンピュータは、コンピュータウィルスを検索する検索部５１と、コンピュータウィルスに感染していた場合にそのウィルスの対処をするウィルス対処部５２として機能する。データファイルとしては、深刻度テーブル５３と対処テーブル５４と各種対処ファイル５５が記憶されている。
【００４５】
検索部５１は、コンピュータウィルスの定義ファイルを有し、メモリ１１に記憶されているアプリケーションやデータファイルからコンピュータウィルスを検索する。定義ファイルは、各種コンピュータウィルスのデジタルパターンとコンピュータウィルスの名称や種類を示す情報が格納されている。コンピュータウィルスが検索されると、感染していたコンピュータウィルスと感染していたアプリケーション又はデータファイルの情報から深刻度を取得する。
【００４６】
深刻度は、深刻度テーブル５３を参照して取得する。図３に深刻度テーブル５３を示す。図３に示すように、深刻度テーブル５３は、コンピュータウィルスの名称や種類と感染ファイルとの組み合わせに深刻度を対応させている。即ち、深刻度は、コンピュータウィルスとその感染ファイルに基づく。深刻度は、そのコンピュータウィルスがそのファイルに感染した場合における、そのファイルによって実現される機能維持の困難性や、医用システムの運転維持の困難性や、医用システム内のその他ファイルへの感染拡大可能性、等により決定される。深刻度は、高中低のように複数段階に分類されている。
【００４７】
例えば、検索部５１は、検索の結果、Ｘ線量を制御するＸ線量設定アプリケーション１５ａにコンピュータウィルスが感染していた場合には、深刻度テーブル５３を参照して深刻度「高」を取得する。臨床アプリケーション１８やテンポラリファイル１７にコンピュータウィルスが感染していた場合には、深刻度テーブル５３を参照して深刻度「低」を取得する。患者登録ＤＢ１６に悪質なコンピュータウィルスが感染していた場合には、深刻度「中」を取得する。患者登録ＤＢ１６に比較的悪質性の低いコンピュータウィルスが感染していた場合には、深刻度「低」を取得する。位置決めアプリケーション１４ａのうち、Ｃアーム４の位置決めを制御するモジュールに悪質なコンピュータウィルスが感染していた場合には、深刻度「高」を取得する。位置決めアプリケーション１４ａのうち、Ｃアーム４の位置決めを制御するモジュールに比較的悪質性の低いコンピュータウィルスが感染していた場合には、深刻度「低」を取得する位置決めアプリケーション１４ａのうち、Ｃアーム４の位置決めを制御するモジュールに悪質なコンピュータウィルスが感染していた場合には、深刻度「高」を取得する。
【００４８】
ウィルス対処部５２は、検索部５１が取得した深刻度と感染していたアプリケーション又はデータファイルの情報に合致したウィルス対処を実行する。各種対処ファイル５５は、ウィルスの対処を記述したバッチファイルである。対処ファイル５５毎に各種のウィルス対処が記述されている。ウィルス対処部５２は、深刻度と感染していたアプリケーション又はデータファイルの情報に合致した対処ファイル５５を実行する。
【００４９】
対処ファイル５５は、対処テーブル５４を参照して取得する。図４に、対処テーブル５４を示す。図４に示すように、対処テーブル５４は、感染ファイルと深刻度との組み合わせにウィルス対処法を記述した対処ファイル５５を対応させている。即ち、ウィルス対処法は、深刻度を介してコンピュータウィルスとその感染ファイルに基づく。
【００５０】
対処ファイル５５に記述されるウィルス対処の内容は、深刻度と感染ファイルに応じて異なる。
【００５１】
例えば、感染ファイルがＯＳアプリケーション１２ａ及び深刻度「高」の場合に対応した対処ファイル５５を実行するウィルス対処部５２は、モニタＭにＯＳアプリケーション１２ａの再インストールを促すメッセージを表示し、オペレーティングシステム１２を終了させる。また、感染ファイルがＯＳアプリケーション１２ａ及び深刻度「中」の場合に対応した対処ファイル５５を実行するウィルス対処部５２は、医用システムの運転を継続させ、再起動時にＯＳアプリケーション１２ａ中の感染ファイルを削除する。感染ファイルがＯＳアプリケーション１２ａ及び深刻度「低」の場合に対応した対処ファイル５５を実行するウィルス対処部５２は、コンピュータウィルスを放置する。
【００５２】
感染ファイルがＸ線量設定アプリケーション１５ａ及び深刻度「高」の場合に対応した対処ファイル５５を実行するウィルス対処部５２は、Ｘ線量設定に係るソフトウェア制御の経路を終了してハードウェア制御によるハードウェア制御に移行させる。即ち、オペレーティングシステム１２及びソフトウェア制御部１３を停止させ、入力部４０から送出されたＸ線量に係るコマンドをオペレーティングシステム１２を介してＸ線量設定制御部１５が受け取り、Ｘ線量設定制御部１５が制御信号を生成して医用手段コントローラ３０に送出させるソフトウェア制御経路を遮断する。代替して、入力部４０から送出されたＸ線量に係る電気信号をＸ線量設定回路２２が受け取り、制御信号に変換して医用手段コントローラ３０に送出させるハードウェア制御経路に切り替える。かつ、Ｘ線量設定回路２２の回路設定を透視モードに切り替える。ネットワーク上に存在する端末が指定されている場合には、当該端末にアラートを送信する。
【００５３】
また、感染ファイルがＸ線量設定アプリケーション１５ａ及び深刻度「中」の場合に対応した対処ファイル５５を実行するウィルス対処部５２は、医用システムの運転を継続させ、再起動時にＯＳアプリケーション１２ａ中の感染ファイルを削除する。感染ファイルがＸ線量設定アプリケーション１５ａ及び深刻度「中」の場合に対応した対処ファイル５５を実行するウィルス対処部５２は、コンピュータウィルスを放置する。
【００５４】
感染ファイルが位置決めアプリケーション１４ａ中のＣアーム４の制御に係るモジュール及び深刻度「高」の場合に対応した対処ファイル５５を実行するウィルス対処部５２は、Ｃアーム４の制御に係るソフトウェア制御の経路を終了してハードウェア制御によるハードウェア制御に移行させる。即ち、位置決め制御部１４中のＣアーム４の制御モジュールを停止させ、入力部４０から送出されたＣアーム４の制御に係るコマンドをオペレーティングシステム１２を介して位置決め制御部１４が受け取り、位置決め制御部１４が制御信号を生成して医用手段コントローラ３０に送出させるソフトウェア制御経路を遮断する。代替して、入力部４０から送出されたＣアーム４の制御に係る電気信号を位置決め回路２１が受け取り、制御信号に変換して医用手段コントローラ３０に送出させるハードウェア制御経路に切り替える。又は、Ｃアーム４の制御自体を停止させ、手動によるＣアーム４の位置決めを可能とする。
【００５５】
また、感染ファイルが位置決めアプリケーション１４ａ中のＣアーム４の制御に係るモジュール及び深刻度「中」の場合に対応した対処ファイル５５を実行するウィルス対処部５２は、医用システムの運転を継続させ、再起動時にＯＳアプリケーション１２ａ中の感染ファイルを削除する。感染ファイルが位置決めアプリケーション１４ａ中のＣアーム４の制御に係るモジュール及び深刻度「中」の場合に対応した対処ファイル５５を実行するウィルス対処部５２は、コンピュータウィルスを放置する。
【００５６】
感染ファイルが患者情報ＤＢ１６及び深刻度「高」の場合に対応した対処ファイル５５を実行するウィルス対処部５２は、ネットワーク上に存在する端末が指定されている場合には、当該端末にアラートを送信し、入力部４０から送出される患者情報ＤＢ１６を利用するコマンドの受け付けを禁止させる。また、感染ファイルが患者情報ＤＢ１６及び深刻度「中」の場合に対応した対処ファイル５５を実行するウィルス対処部５２は、患者情報ＤＢ１６中の感染ファイルを削除する。感染ファイルが患者情報ＤＢ１６及び深刻度「低」の場合に対応した対処ファイル５５を実行するウィルス対処部５２は、コンピュータウィルスを放置する。
【００５７】
感染ファイルが臨床アプリケーション１８及び深刻度「高」の場合に対応した対処ファイル５５を実行するウィルス対処部５２は、モニタＭに臨床アプリケーション１８の再インストールを促すメッセージを表示し、臨床アプリケーション１８を終了させて再度の起動コマンドの受け付けを禁止させる。また、感染ファイルが臨床アプリケーション１８及び深刻度「中」の場合に対応した対処ファイル５５を実行するウィルス対処部５２は、臨床アプリケーション１８中の感染ファイルを削除する。感染ファイルが臨床アプリケーション１８及び深刻度「低」の場合に対応した対処ファイル５５を実行するウィルス対処部５２は、コンピュータウィルスを放置する。
【００５８】
図５に、Ｘ線診断装置１００のウィルス検索及びウィルス対処の動作を示す。図５は、医用システムのウィルス検索及びウィルス対処に係るアクティビティ図である。
【００５９】
まず、操作者が入力部４０を用いてウィルス検索の開始を要求する入力を行うと（Ｓ０１）、ＣＰＵ１０は、ウィルス対処プログラムを起動する（Ｓ０２）。ウィルス対処プログラムの起動は、予定時刻等を設定しておき、タイマー起動をするようにしてもよい。
【００６０】
ウィルス対処プログラムが起動されると、ＣＰＵ１０は、検索部５１として機能する。検索部５１は、コンピュータウィルスのパターンとコンピュータウィルスの名称又は種類が記述された定義ファイルに従ってＸ線診断装置１００内のファイルを走査してコンピュータウィルスを検索する（Ｓ０３）。この定義ファイルや検索エンジンは、市販のものであってもよい。
【００６１】
検索部５１は、Ｘ線診断装置１００内の指定された範囲のファイルを走査してコンピュータウィルスが検出されなければ（Ｓ０４）、検索処理を終了する。コンピュータウィルスが走査中のファイルから検出されれば（Ｓ０５）、感染ファイルの名称を取得し、定義ファイル内のコンピュータウィルスの名称又は種類を記述したモジュールからコンピュータウィルスの名称又は種類を取得する（Ｓ０６）。
【００６２】
感染ファイルの名称とコンピュータウィルスの名称又は種類を取得すると、検索部５１は、深刻度テーブル５３を読み出し、取得した感染ファイルとコンピュータウィルスの組み合わせに対応する深刻度を取得する（Ｓ０７）。
【００６３】
深刻度が取得されると、ＣＰＵ１は、ウィルス対処部５２として機能する。ウィルス対処部５１は、対処テーブル５４を読み出し、取得した深刻度と感染ファイルの名称の組み合わせに関連づけられた対応ファイル５５を特定する（Ｓ０８）。対応ファイル５５を特定すると、当該対応ファイル５５を読み出して実行を開始する（Ｓ０９）。
【００６４】
例えば、悪質なコンピュータウィルスがＸ線量設定アプリケーション１５ａ中のファイルに感染したため深刻度「高」が取得されたとする。ウィルス対処部５２は、「Ｂａｔｃｈｆｉｌｅ０１＿０２．ｂａｔ」を読み出し、実行を開始する。
【００６５】
ウィルス対処部５２は、悪質なコンピュータウィルスがＸ線量設定アプリケーション１５ａ中のファイルに感染したことによるウィルス対処を実行すると、ソフトウェア制御部１３を終了させてソフトウェア制御の経路を遮断し、ハードウェア制御部２０に入力部４０からの電気信号が送出されるように制御経路を切替えてハードウェア制御に切り替える（Ｓ１０）。さらに、オペレーティングシステム１２を終了させる（Ｓ１１）。
【００６６】
これにより、ウィルス感染したアプリケーションは起動されず、ウィルス感染の拡大を防止でき、また、ウィルス感染による被害を最小限に食い止めることが可能となる。
【００６７】
図６に、医用システムの他の構成例を示す。図６は、医用システムの他の構成を示すブロック図である。
【００６８】
医用システムは、Ｘ線診断装置１００といったモダリティの他、ネットワークを介して記憶装置１１０を含むこともできる。記憶装置１１０は、深刻度テーブル５３及び対処テーブル５４を記憶する。検索部５１による深刻度の取得の際には、ネットワークを介して深刻度テーブル５３を読み出し、又は記憶装置１１０にコンピュータウィルスと感染ファイルから深刻度を問い合わせする。ウィルス対処部５２による対処ファイル５５の特定の際には、ネットワークを介して対処テーブル５４を読み出し、又は記憶装置１１０に感染ファイルの名称と深刻度から対処ファイル５５を問い合わせる。
【００６９】
尚、以上の実施形態においては、コンピュータウィルスと感染ファイルから深刻度を取得するようにしたが、深刻度は、コンピュータウィルスの内容と感染ファイルのみから導かれるものとした場合には、深刻度を介さずコンピュータウィルスと感染ファイルから直接対処ファイル５５を特定するようにしてもよい。この場合、深刻度テーブル５３と対処テーブル５４を重複する深刻度及び感染ファイルを介して合成した対処ファイル５４を用意すればよい。
【００７０】
このように、本発明に係る医用システムでは、コンピュータウィルス毎にシステムに対する深刻度を定義する深刻度テーブルと深刻度に対応したウィルス対処を定義する対処テーブルを記憶し、記憶されたファイルからコンピュータウィルスを検索して深刻度テーブルと対処テーブルに基づきウィルス対処をするようにした。これにより、医用システムに特化した対処をすることができ、医用システムの安全かつ安定した運用が可能となる。
【００７１】
また、感染ファイルと深刻度、即ち感染したコンピュータウィルスと感染ファイルの組み合わせに対応したウィルス対処を定義する対処テーブルを記憶し、対処テーブルに基づきウィルス対処をする対処をするようにした。これにより、コンピュータウィルス及び感染ファイルの組み合わせに対する評価が医用システムに合わせて最適化され、より安全かつ安定した運用が可能となる。
【図面の簡単な説明】
【００７２】
【図１】本実施形態に係る医用システムの外観を示す斜視図である。
【図２】医用システムの制御系を示すブロック図である。
【図３】医用システムが備える深刻度テーブルを示す図である。
【図４】医用システムが備える対処テーブルを示す図である。
【図５】医用システムのウィルス検索及びウィルス対処に係るアクティビティ図である。
【図６】医用システムの他の構成を示すブロック図である。
【符号の説明】
【００７３】
１００  Ｘ線診断装置
１１０  記憶装置
１  天井取付部
２  支持アーム
３  アームホルダ
４  Ｃアーム
５  Ｘ線発生部
６  Ｘ線平面検出器
７  天板
８  天板保持部
１０  ＣＰＵ
１１  メモリ
１２  オペレーティングシステム
１２ａ  ＯＳアプリケーション
１３  ソフトウェア制御部
１４  位置決め制御部
１４ａ  位置決めアプリケーション
１５  Ｘ線量設定制御部
１５ａ  Ｘ線量設定アプリケーション
１６  患者登録ＤＢ
１７  テンポラリファイル
１８  臨床アプリケーション
２０  ハードウェア制御部
２１  位置決め回路
２２  Ｘ線量設定回路
３０  医用手段コントローラ
４０  入力部
５１  検索部
５２  ウィルス対処部
５３  深刻度テーブル
５４  対処テーブル
５５  対処ファイル
Ｍ  モニタ
【図１】
2008015842.tif 000003
【図２】
2008015842.tif 000004
【図３】
2008015842.tif 000005
【図４】
2008015842.tif 000006
【図５】
2008015842.tif 000007
【図６】
2008015842.tif 000008